(57)【要約】除細動器に関して自動的にリトラクタブルなケーブルを使用する装置。装置は、（ａ）第１のワイヤと第２のワイヤとの間に電気的に接続される電源を有する除細動器と、（ｂ）回転可能なハウジングの周りに巻回された第１のワイヤ及び第２のワイヤを自動的に引っ込める自動的に回転可能なハウジングと、有する。円形スプリングが、回転可能なハウジングに回転力を作用させるとともにケーブルを電源に接続するために使用されることもできる。【特許請求の範囲】
【請求項１】
第１のワイヤと第２のワイヤとの間に電気的に接続される電源を有する除細動器と、
前記第１のワイヤ及び前記第２のワイヤを自動的に引っ込める自動的に回転可能なハウジングであって、前記第１のワイヤ及び前記第２のワイヤが当該回転可能なハウジングの周りに巻回される回転可能なハウジングと、
を有する装置。
【請求項２】
前記第１のワイヤを前記除細動器の前記電源と電気的に接続する第１の円形スプリングを更に有する、請求項１に記載の装置。
【請求項３】
前記第１の円形スプリングが、前記第１のワイヤを前記回転可能なハウジングに引っ込める回転力を作用させる、請求項１に記載の装置。
【請求項４】
前記第１の円形スプリングを収容する第１のスプリングハウジングを更に有し、前記第１の円形スプリングの中央部は、前記第１のワイヤに電気的に接続され、前記第１の円形スプリングの外周部は、前記電源の第１の端子に電気的に接続される、請求項２に記載の装置。
【請求項５】
前記回転可能なハウジングが回転する一方、前記第１のスプリングハウジングは静止したままである、請求項４に記載の装置。
【請求項６】
前記第１の円形スプリングの前記中央部が前記円形ハウジングと共に回転する一方、前記第１の円形スプリングの前記外周部は静止したままである、請求項５に記載の装置。
【請求項７】
回転可能な第１のキャップが、前記円形ハウジングの中心部を通して前記第１の円形スプリングの前記中央部に結合される、請求項６に記載の装置。
【請求項８】
前記第２のワイヤを前記除細動器の前記電源と電気的に接続する第２の円形スプリングを更に有する、請求項２に記載の装置。
【請求項９】
前記第１の円形スプリング及び第２の円形スプリングが互いに絶縁されている、請求項８に記載の装置。
【請求項１０】
前記第１のワイヤの第１の部分及び前記第２のワイヤの第１の部分が絶縁的に結合されており、前記第１のワイヤの第２の部分及び前記第２のワイヤの第２の部分が分かれている、請求項１に記載の装置。
【請求項１１】
前記円形ハウジングが回転することを防ぐ第１のロッキング装置と、
前記円形ハウジングを解放するとともに、前記第１の円形スプリングからのエネルギーを使用して前記回転可能なハウジングが前記第１のワイヤを自動的に引っ込めることを可能にする前記第１のロッキング装置におけるボタンと、
を更に有する、請求項１に記載の装置。
【請求項１２】
第１のワイヤと第２のワイヤとの間に電気的に接続される電源を有する除細動器と、
前記第１のワイヤ及び前記第２のワイヤを自動的に引っ込める自動的に回転可能なハウジングであって、前記第１のワイヤ及び前記第２のワイヤが当該回転可能なハウジングの周りに巻回される回転可能なハウジングと、
前記第１のワイヤを前記除細動器の前記電源と電気的に接続する第１の円形スプリングと、
前記第２のワイヤを前記除細動器の前記電源と電気的に接続する第２の円形スプリングと、
前記第１の円形スプリングを収容する第１のスプリングハウジングであって、前記第１の円形スプリングの中央部が前記第１のワイヤに電気的に接続され、前記第１の円形スプリングの外周部が前記電源の第１の端子に電気的に接続される、第１のスプリングハウジングと、
前記円形ハウジングが回転することを防ぐ第１のロッキング装置と、
前記円形ハウジングを解放するとともに、前記第１の円形スプリングからのエネルギーを使用して前記回転可能なハウジングが前記第１のワイヤを引っ込めることを自動的に可能にする前記第１のロッキング装置におけるボタンと、を有し、
前記第１の円形スプリングは、前記第１のワイヤを前記回転可能なハウジングに引っ込める回転力を作用させ、
前記回転可能なハウジングが回転する一方、前記第１のスプリングハウジングは静止したままであり、
前記第１の円形スプリングの中央部が前記円形ハウジングと共に回転する一方、前記第１の円形スプリングの前記外周部は静止したままであり、
回転可能な第１のキャップが、前記円形ハウジングの中心部を通して前記第１の円形スプリングの前記中央部に結合され、
前記第１の円形スプリング及び前記第２の円形のスプリングが互いに絶縁され、
前記第１のワイヤの第１の部分及び前記第２のワイヤの第１の部分が絶縁的に結合され、前記第１のワイヤの第２の部分及び前記第２のワイヤの第２の部分が分かれている、装置。
【請求項１３】
ワイヤに電気を供給する電源を有する除細動器と、
前記除細動器に接続され、回転可能に前記ワイヤを受け入れる回転可能な円形ハウジングと、
前記回転可能なハウジングに接続され、前記ワイヤを引っ込めるとともに前記電源を前記ワイヤに電気的に接続する導電性の円形スプリングと、
を有する装置。
【請求項１４】
除細動器のケーブルを引っ込めるとともに電力を供給する方法であって、
導電性の円形スプリングを使用して、回転可能なハウジングの周りに除細動器ワイヤを引っ込めるとともに、前記円形スプリングを通して前記ワイヤを電源に電気的に接続することを含む方法。
【請求項１５】
除細動器のケーブルを引っ込める装置であって、
導電性の円形スプリングを使用して、回転可能なハウジングの周りに除細動器ワイヤを引っ込める手段と、
前記円形スプリングを通して前記ワイヤを電源に電気的に接続する手段と、
を有する装置。
【請求項１６】
ワイヤに電気を供給する電源と、
回転可能にワイヤを受け入れる回転可能な円形ハウジングと、
前記回転可能なハウジングに結合され、前記円形ハウジングに回転力を作用させるとともに前記電源を前記ワイヤに電気的に接続する導電性の円形スプリングと、
を有する装置。
【発明の詳細な説明】
【技術分野】
【０００１】
本発明は、除細動器用のリトラクタブルケーブルを有する円形ハウジングを使用することに関する。このようなハウジングの使用は、除細動器の操作者がケーブルを利用するとともに操作が終了したときケーブルを格納するためのより便利な方法を提供する。
【背景技術】
【０００２】
今日の除細動器は、電気エネルギーを適用して患者の心臓にショックを与え又は患者のバイタルサインを監視するためにケーブルを利用する。一般に、これらのケーブルはポーチに格納されており、このことは、操作が終了したとき操作者が手動でケーブルを集め、除細動器上のなんらかのタイプの収集装置、例えば内部ポーチにケーブルを入れなければならないことを意味する。このプロシージャは、ケーブルのもつれを引き起こす傾向があり、これはまた、ケーブルに損傷を与えうる。
【発明の開示】
【発明が解決しようとする課題】
【０００３】
従って、必要とされるものは、除細動器の操作者が、除細動器から除細動器ケーブルを引き出し、除細動器の操作が終了したときそれらを戻すための容易であり、適切であり、損傷を与えない方法である。
【課題を解決するための手段】
【０００４】
本発明の１つの見地は、除細動器ケーブルを容易に利用するとともに引っ込めることを可能にする改善された除細動器を提供することである。
【０００５】
本発明の別の見地は、除細動器ケーブルに電力を供給するために（複数の）円形スプリングを使用することであり、これによって一層信頼性が高い装置を提供する。
【０００６】
上述の見地は、第１のワイヤと第２のワイヤとの間に電流を供給する電源を有する除細動器と、除細動器に接続され、第１の円形の回転可能なハウジングの周りに巻回された第１のワイヤを自動的に受け入れる第１の円形の回転可能なハウジングと、を有する除細動器を提供するシステムによって達成されることができる。
【０００７】
これらの見地は続いて明らかになる他の見地及び利益とともに、その一部を形成する添付の図面を参照して、以下により十分に記載され請求項に記載される構造及び動作の詳細に存在する。図面において、同じ参照数字は図面を通して同じ部分を指す。
【発明を実施するための最良の形態】
【０００８】
以下、本発明の現在の好ましい実施例について詳しく言及する。これらの例は、添付の図面に図示されており、図面中、同じ参照数字は全体を通して同じ構成要素を指す。
【０００９】
本発明は、除細動器の操作が終了したとき、操作者が制動装置のボタンを押すことによって自動的にケーブルを引っ込めることを可能にする、円形ハウジングにおいて自動的にリトラクタブルなケーブルを実現する除細動器を提供する。
【００１０】
他のリトラクタブルケーブル装置（除細動器と共に使用されず、例えば掃除機と共に使用されるもの）には多くの不利益がある。１つのこのような装置は、フックタイプの装置の周りに電気コンセントプラグを一端に有する電気ケーブルを手動で巻回することによって動作することができる。ケーブルは、２本の撚り線からなり、各ワイヤの端部（プラグとは反対側の端部）は、ハウジングの中央部においてディスクに接続される。ディスクの外側部分は、２つの導電性の溝又はトラックを有し、１つの溝又はトラックが、それぞれのワイヤに接続される。ディスクの外側部分における２つの「ランナー」は、それぞれの溝（又はトラック）と接触し、装置内部の端子に接続し、電気コンセントから電力を受ける。このようにして、ケーブルが引っ張られることができ、ディスクが回転することができ、ディスクの外側部分におけるランナーは、ワイヤと接触したままであり、これによりワイヤはプラグから電力を受ける。
【００１１】
しかしながら、上述したタイプの装置には多くの不利益がある。これらの装置は可動部を有し、稼動部は、接点において摩耗しうる。更に、ランナーは、酷使すると溝からずれてしまうことがあり、装置に電力を全く供給しなくなる。更に、トラック又はランナーは、時間とともに摩耗することがある。摩耗が十分である場合、電力がこのトラック／ランナー接合を横切ってパドルに再び供給されることができなくなる。除細動器のような救命装置を使用する場合、うまく作動しない装置の余地はない。
【００１２】
上述した装置の欠点を改善するために、本発明は、改善されたより信頼性が高い装置を提供するために円形のスプリングを利用するスプリング付き装置を使用する。
【００１３】
図１は、本発明の一実施例において、リトラクタブルケーブルのための円形ハウジングを示す。
【００１４】
円形ハウジング１００は、ケーブル（図示せず）を受け入れるために使用される。受け入れユニット１０２は、受け入れユニット１０２の周りに巻回されるケーブルを受け入れる。
【００１５】
図２は、本発明の一実施例による除細動器のために使用されるケーブルを示す。
【００１６】
ケーブル２００は、第１のワイヤ２０２及び第２のワイヤ２０４を有する。両方のワイヤは絶縁されるが、第１のワイヤ２０２の第１の部分２０６及び第２のワイヤ２０２の第１の部分２０８は一体に結合され又はクランプされる。第１のワイヤ２０２の第２の部分２１０及び第２のワイヤ２０４の第２の部分２１２は分かれている。第１のワイヤ２０２及び第２のワイヤ２０４は、患者の胸部に印加されるべき反対電荷を保持する。これらの部分は、第１のパドル２１４及び第２のパドル２１６が患者の胸部の別々の部分に適用されることができるように分かれている。双方のワイヤの第１の部分の長さは一般に等しく、双方のワイヤの第２の部分の長さは一般に等しいが、第１のワイヤの第１部分、第２のワイヤの第１部分、第１のワイヤの第２部分、第２のワイヤの第２部分の長さは、すべて任意にセットされることができる。
【００１７】
図３は、本発明の一実施例によるリトラクタブルケーブルのための円形ハウジングを示す。
【００１８】
円形ハウジング３００は、第１の円形スプリング３０２を有する。上述したように、ケーブル（図示せず）は、第１のワイヤ（図示せず）及び第２のワイヤ（図示せず）を有する。ケーブルは、円形ハウジング３００の周りに巻き付き、受け入れユニット３０４に入る。円形スプリング３０２の第１の端部３０６は、円形ハウジング３００の中央部３１０に位置する。円形スプリング３０２の第２の端部３１２（図示せず）は、円形ハウジング３００の孔（図示せず）を通して第１のワイヤ（図示せず）の端部に接続される。
【００１９】
ケーブルが引っ張られると、円形ハウジング３００は、第１の方向に回転し、これによって第１の円形スプリング３０２にエネルギーを蓄えさせる。ケーブルが解放されると、第１の円形スプリング３０２に蓄えられたエネルギーは、円形ハウジング３００を反対方向に回転させ、ケーブルを円形ハウジング３００の方へ引っ張り、ケーブルを円形ハウジング３００の周りに巻回する。第１のキャップ３１４が、円形ハウジング３００の中央部３１０に結合され、円形ハウジング３００の中央部３１０に円形スプリング３０２の第１の端部３０６を保つ。第１のキャップ３１４は、いかなる通常の方法で結合されてもよく、例えば受け入れ部にスナップ留めされるようにして又は接着材を使用して、結合されることができる。
【００２０】
第１の電気コネクタ（図示せず）は、電源（図示せず）上の第１の端子に、円形スプリング３０２の第１の端部３０６を接続する。このようにして、電源は、第１の円形スプリング３０２を通して第１のワイヤに接続される。この円形のスプリングが、そのハウジング内にテープが巻き上げられる一般的な巻き尺として考えられる場合、巻き尺に対して２つの端部がある。１つはハウジングの外縁部にあり、１つはハウジングの中心部にとどまる。巻き尺がその巻き上げられた位置にあるとき、巻き尺に対して別個のトップアンドボトム面もある。巻き尺と異なって、本発明の円形スプリングはそのハウジングから引き出されない。その代わりに、ケーブルが引き出され、引っ込められるとき、中心部にある円形スプリングの端部がわずかに伸縮することが可能である。これが生じるのは、円形スプリングのこの端部が、パドルケーブルを保有するプラスチックハウジングの中心部に結合され、従ってケーブルが引き出されるときに回転するからである。この回転は、結果的に円形スプリングの伸縮をもたらす。
【００２１】
装置の中心部にとどまるスプリングの端部からハウジング内に巻き上げられるパドルケーブルに銅線を接続することによって、電力がプラスチックハウジングを通して１つのパドルに供給される。この銅線は、このスプリングの端部の底部に沿って一体的に接続され又はクランプされてもよい。スプリングのこの端部は更に、プラスチックハウジングの中心部に結合されるので、ケーブルが引き出されるとき、パドルケーブル及びスプリングの当該端部を接続する銅線はねじれない。これは、ケーブルが引き出されるとき、上述の部品（ケーブル、ハウジング、ワイヤ及びスプリングの当該端部）のすべてが一体となって回転するからである。
【００２２】
プラスチックハウジングを通した除細動器への電力は、装置の中心部から離れているほうのスプリングの反対の端部を使用する。別の銅線が、スプリングのこの端部にクランプされ又は一体的に接続され、スプリングの上面から突き出る。スプリングのこの部分は、静止したプラスチックキャップに結合され、それゆえ回転しないので、この銅線は、キャップの上面から除細動器へ直接延びることができる。
【００２３】
第２のパドル、ケーブル及びスプリング機構は、同様ではあるがプラスチックハウジングの他方の側にだけセットアップされる。２つのパドルケーブルは、機構の中心部に沿って且つ２つの円形スプリングの間で巻き上げられる。こうして、双方のスプリングが、これらの２つのパドルケーブルを引っ込めるために使用される。収容しやすいように、これらの２つのパドルケーブルは、１つのケーブルに成形されることができるが、ワイヤは、なお互いに絶縁されなければならない。
【００２４】
図示しないが、円形のハウジング３００の反対側には、第２の円形スプリングが存在し、第１の円形スプリング３０２と同様に動作する。第２の円形スプリングは、第２のワイヤを電源上の第２の端子に接続する。
【００２５】
第１のワイヤ及び第２のワイヤは、これらのワイヤの第１の部分において結合されるので、それらが引っ込められるとき、２つのスプリングを有することによりケーブル（又は第１のワイヤ及び第２のワイヤ）に加えられる力を増加させる。
【００２６】
双方のスプリングは互いに絶縁されており、ディバイダ（分割器）が、スプリングを互いに分けるために使用されることができる。ディバイダは、巻き付けられたケーブルを保有する円形ハウジング３００でありえる。
【００２７】
ケーブル（第１のワイヤ及び第２のワイヤ）が円形ハウジング３００から外へ引き出されるが、自動的に逆方向に引っ込められることができないようにするために、任意の通常の制動装置３１８が使用されることができる。制動装置上のボタン（図示せず）が押され、それによってロック機構を解放し、円形スプリングが自動的にケーブルを引っ込めることを可能にする。
【００２８】
制動装置の１つの実現例は、涙滴形のプラスチック又はゴムストッパを用いることによって実現されることができる。このストッパは、ケーブルが引き出され又は引っ込められるときに回転するプラスチックハウジングと常に接している。このストッパは、プラスチックハウジングからの所定の位置にばね押しにより置かれ、ハウジングが引き出し方向に容易に回転することを可能にする。その涙滴様の形状のため、スプリングを解放するためにボタンが押されるまでは、引っ込み方向への回転が比較的困難である。ボタンが押されると、ストッパはハウジングから解放され、円形スプリングがケーブルを引っ込めることが可能になる。
【００２９】
ストッパは、一般にばねによって押され、これによってハウジングが引っ込み方向に回転することを制限する。ボタン（又は他の任意の解放機構）の押下によってスプリングが解放されると、ストッパが解放され、それによって円形スプリングがケーブルを引っ込めることを可能にする。
【００３０】
図４は、本発明の一実施例による、リトラクタブルケーブルをもつ除細動器を示す。左ケーブル４０１及び右ケーブル４０３は、回転可能なハウジング４０５の周りに巻き付けられる。左ケーブル４０１及び右ケーブル４０３は、電荷をパドル４０７及び４０９にそれぞれ与えるために使用される。左ケーブル４０１及び右ケーブル４０３は、２つの部分を除いて、絶縁的に一体に結合される。左ケーブル４０１及び右ケーブル４０３が分離される第１の部分は、左ケーブル４０１及び右ケーブル４０３のブレーキングポイント（breaking point）４０２にあり、それによって左パドル４０７及び右パドル４０９が分離されることができる。左ケーブル４０１及び右ケーブル４０３が分離される第２の部分は、ブレーキングポイント４０２の反対の端部であり、それによって左ケーブル４０１が、右ケーブル４０３と異なる位置（後述する）に接続されることができる。
【００３１】
左の円形スプリング４１１は、左ハウジングに収容される。左の円形スプリングは２つの目的を果たす。１つの目的は、（図４に示されない制動機構が適用されないとき）回転可能なハウジング４０５が自動的に引っ込むように、回転可能なハウジング４０５に回転力を付与することである。左の円形スプリング４１１の別の目的は、左ケーブル４０１を除細動器４１４の電源４１６と電気的に接続することである。
【００３２】
左ケーブル４０１は、回転可能なハウジング４０５の開口部４１５を通り、左キャップ４１７を通って、左の円形スプリング４１１に電気的に接続する。左キャップ４１７は、一般に、回転可能なハウジング４０５を、左のスプリングハウジング４１３に接続し、左の円形スプリング４１１の中心部と共に回転する。左ケーブル４０１が電源４１６に接続することができるように、左の円形スプリング４１１は、底部開口部４１９を有する。
【００３３】
右の円形スプリング４２１は、右ハウジング４２３に収容される。右の円形スプリング４２１は、左の円形スプリング４１１と同じ目的を果たす。右ケーブル４０３は、回転可能なハウジング４０５の開口部４２５を通り、右キャップ４２７を通って、右の円形スプリング４２１に電気的に接続する。右キャップ４２７は、一般に、回転可能なハウジング４０５を右のスプリングハウジング４２３に接続し、右の円形スプリング４２１の中心部と共に回転する。右ケーブル４０３が電源４１６に接続することができるように、右の円形スプリング４２１は底部開口部４３０を有する。
【００３４】
左ケーブル４０１及び／又は右ケーブル４０３が引っ張られると、回転可能なハウジング４０５は、左キャップ４１７及び右キャップ４２７と共に回転し、それによって左の円形スプリング４１１及び右の円形スプリング４２１の双方を巻く。円形スプリングの性質のため、それらの中心部は回転するが、一方、それらの外側部分は一般に静止したままであることに留意されたい。更に、左の円形スプリング４１１及び右の円形スプリング４２１の外側部分（すなわち端点又は外周部）は、それぞれの個々のハウジングの底部に物理的に結合されることができ、それによってスプリング４１１，４２１の外側部分を所定の位置に固定することができる。こうして、双方の円形スプリング４１１、４２１の中心部は、キャップ４１７，４２７及び回転可能なハウジング４０６と共に回転することが可能であるが、一方、円形スプリング４１１，４２１の端部（又は外周部）は静止したままであることが可能である。左ハウジング４１３及び右ハウジング４２３は静止したままであることに留意されたい。左ハウジング４１３及び右ハウジング４２３は、除細動器４１４に搭載される。例えば、左ハウジング４１３及び右ハウジング４２３は、除細動器４１４にスナップ留めされ又はねじ留めされることができる。当然ながら、左ケーブル４０１及び右ケーブル４０３並びにそれらの個々の電気接続のすべてが、パドル４０７、４０９間の電位を短絡しないように、互いに絶縁されたままであることに留意されたい。
【００３５】
この構成は、除細動器４１４の電源４１６が、円形スプリング４１１、４２１を使用してパドル４０７、４０９に電力を供給することを可能にする。これは、摩耗し又は曲がる可能性があるランナー又は溝が必要とされないので、より信頼性の高いシステムを提供する。導電装置の位置ずれの問題が解決される。除細動器を有する回転可能なハウジングの使用は、ケーブルを手動で集める必要がないという点で、従来技術よりも便利である。
【００３６】
本発明の他の変形例は、円形スプリングを２つではなく１つだけを使用すること及び通常の方法によって残りの除細動ケーブルを接続することを含む。
【００３７】
本発明の多くの特徴及び利点は、詳細な明細書から明らかであろう。こうして、添付の特許請求の範囲によって、本発明の真の精神及び範囲にある本発明のすべてのこのような特徴及び利点をカバーすることが意図される。更に、多くの変形例及び変更例が当業者には思い浮かぶであろうから、本発明を図示され記述されている厳密な構造及び動作に制限することは望まれず、従って、本発明の範囲内にあるすべての適切な変更例及び等価物が採用されることができる。
【図面の簡単な説明】
【００３８】
【図１】本発明の一実施例によるリトラクタブルケーブルのための円形ハウジングを示す図。
【図２】本発明の一実施例によるケーブルを示す図。
【図３】本発明の一実施例によるリトラクタブルケーブルのための円形ハウジングの内面図。
【図４】本発明の一実施例によるリトラクタブルケーブルを有する除細動器を示す図。
【図１】
2005528973.tif 000002
【図２】
2005528973.tif 000003
【図３】
2005528973.tif 000004
【図４】
2005528973.tif 000005